(57)【特許請求の範囲】
【請求項１】
下部が地中に埋設されて地上に立設された中空柱を補強する中空柱の補強構造であって、中空柱の長手方向に沿って中空柱内に配設される複数の補強用棒状部材と、この複数の補強用棒状部材を中空柱の周方向に配設する均等配置治具と、この均等配置治具の外周を囲んで補強する補強用リングとを有し、
前記均等配置治具は、中空柱の中心軸を確定すべく中空柱の中心軸に設定されるガイド棒が挿通される中心部に形成された中心孔と、ガイド棒を中心に前記複数の補強用棒状部材を中空柱の周方向に等角度で均等に配設するように複数の補強用棒状部材が挿通されて保持される複数の保持部とを有し、
前記複数の保持部は、外側部分が補強用リングの内周面に接触する
ことを特徴とする中空柱の補強構造。
【請求項２】
前記複数の保持部は、補強用リングに接触する外側部分が補強用リングと緊密に接触するように補強用リングの内周面の円弧と同じ形状の円弧で削られていることを特徴とする請求項１記載の中空柱の補強構造。
【請求項３】
前記補強用リングは、金属を一重乃至二重に重ねて形成された金属製リング部材と、この金属製リング部材の外周面に巻回されたアラミドシートとを有することを特徴とする請求項１または２記載の中空柱の補強構造。
【請求項４】
前記金属製リング部材は、アルミニウムまたはステンレススチールまたは鉄で形成され、前記アラミドシートは、一重乃至二重に巻回されていることを特徴とする請求項３記載の中空柱の補強構造。
【請求項５】
前記補強用リングは、周方向に等角度で均等に分割した内周面に取り付けられた細長い管状体を有し、均等配置治具は、この管状体に挿通された連結紐で補強用リングに固定的に取り付けられることを特徴とする請求項１乃至４のいずれかに記載の中空柱の補強構造。
【請求項６】
前記均等配置治具と補強用リングは、棒状部材補強保持具を構成し、この棒状部材補強保持具は、中空柱の長手方向に沿って所定の間隔で複数の補強用棒状部材を補強すべく複数配設され、かつ、均等配置治具の保持部に挿通される補強用棒状部材に所定の間隔で取り付けられた保持バンドにより補強用棒状部材に所定の間隔で複数保持されて配設されていることを特徴とする請求項１乃至５のいずれかに記載の中空柱の補強構造。
【請求項７】
前記均等配置治具と補強用リングは、棒状部材補強保持具を構成し、この棒状部材補強保持具は、中空柱の長手方向に沿って所定の間隔で複数の補強用棒状部材を補強すべく複数配設され、かつ、所定の位置に固定された複数の棒状部材補強保持具のうち、一番上の棒状部材補強保持具に取り付けられたループ状のワイヤで当該棒状部材補強保持具の直下に位置する棒状部材補強保持具を吊り下げ、この直下に位置する棒状部材補強保持具に取り付けられた別のループ状のワイヤで当該棒状部材補強保持具の直下に位置する棒状部材補強保持具を吊り下げるという処理を繰り返すことで所定の間隔で配設されることを特徴とする請求項１乃至５のいずれかに記載の中空柱の補強構造。
【発明の詳細な説明】
【技術分野】
【０００１】
本発明は、下部が地中に埋設されて地上に立設された、例えば鋼管柱やコンクリート製電柱等の中空柱を補強する中空柱の補強構造に関する。
【背景技術】
【０００２】
鋼管柱やコンクリート製電柱等の中空柱は、通常、その基端部の所定長部分が地中に埋設されて地上に立設される。このような中空柱は、内部が空洞、すなわち中空の筒状体である。
【０００３】
このような既設の中空柱の補強に際しては、例えば地中に埋設された地中部分と地上に立設された地上部分との境の地際から１ｍ〜２ｍ程上方の側面に形成された側部開口から中空柱の内部に補強用棒状部材を複数本挿入し、さらにモルタル等を注入することによって補強している。また、この挿入した複数の補強用棒状部材を中空柱内において中空柱の周方向に等角度で均等に配設するためにロッド配置用補助具またはロッド配置用スペーサと称する均等配置治具が用いられる。そして、このような        均等配置治具を複数の補強用棒状部材の長手方向の複数の箇所に配設し、この均等配置治具の複数のロッド保持部に複数の補強用棒状部材を挿通して保持するようにしている（特許文献１）。
【先行技術文献】
【特許文献】
【０００４】
【特許文献１】特開２００７−７７６１３号公報
【発明の概要】
【発明が解決しようとする課題】
【０００５】
中空柱は、上述したように、側部開口から中空柱の内部に複数の補強用棒状部材を挿入し、この複数の補強用棒状部材の長手方向の複数の箇所に均等配置治具を配設し、この均等配置治具で複数の補強用棒状部材を保持して補強されているが、このように補強用棒状部材で補強された中空柱であっても、更に強固に補強することが望まれている。
【０００６】
本発明は、上記に鑑みてなされたもので、その目的とするところは、中空柱を更に強固に補強することができる中空柱の補強構造を提供することにある。
【課題を解決するための手段】
【０００７】
上記課題を解決するため、請求項１記載の中空柱の補強構造は、下部が地中に埋設されて地上に立設された中空柱を補強する中空柱の補強構造であって、中空柱の長手方向に沿って中空柱内に配設される複数の補強用棒状部材と、この複数の補強用棒状部材を中空柱の周方向に配設する均等配置治具と、この均等配置治具の外周を囲んで補強する補強用リングとを有し、前記均等配置治具は、中空柱の中心軸を確定すべく中空柱の中心軸に設定されるガイド棒が挿通される中心部に形成された中心孔と、ガイド棒を中心に前記複数の補強用棒状部材を中空柱の周方向に等角度で均等に配設するように複数の補強用棒状部材が挿通されて保持される複数の保持部とを有し、前記複数の保持部は、外側部分が補強用リングの内周面に接触することを要旨とする。
【０００８】
請求項１記載の中空柱の補強構造にあっては、中空柱を補強する複数の補強用棒状部材を均等配置治具で中空柱の周方向に等角度で均等に配設するとともに、この均等配置治具の外周を補強用リングで囲んで補強し、かつこの複数の保持部の外側部分が補強用リングの内周面に接触しているため、複数の補強用棒状部材を一層堅固かつ強固に補強でき、中空柱の信頼性を向上することができる。
【００１１】
請求項２記載の中空柱の補強構造は、前記複数の保持部が、補強用リングに接触する外側部分が補強用リングと緊密に接触するように補強用リングの内周面の円弧と同じ形状の円弧で削られていることを要旨とする。
【００１２】
請求項２記載の中空柱の補強構造にあっては、複数の保持部の外側部分が補強用リングの内周面の円弧と同じ形状の円弧で削られ、補強用リングと緊密に接触するため、複数の保持部は補強用リングにより確実に保持され、保持部で保持される補強用棒状部材を一層堅固かつ強固に補強でき、中空柱の信頼性を向上することができる。
【００１３】
請求項３記載の中空柱の補強構造は、前記補強用リングが、金属を一重乃至二重に重ねて形成された金属製リング部材と、この金属製リング部材の外周面に巻回されたアラミドシートとを有することを要旨とする。
【００１４】
請求項３記載の中空柱の補強構造にあっては、金属を一重乃至二重に重ねて形成された金属製リング部材の外周面にアラミドシートを巻回して、補強用リングを構成しているため、補強用リングは強靭なものとなり、補強用棒状部材を保持している均等配置治具の外周を強靭な補強用リングで囲んで補強することにより、補強用棒状部材を一層堅固かつ強固に補強でき、中空柱の信頼性を向上することができる。
【００１５】
請求項４記載の中空柱の補強構造は、前記金属製リング部材が、アルミニウムまたはステンレススチールまたは鉄で形成され、前記アラミドシートは、一重乃至二重に巻回されていることを要旨とする。
【００１６】
請求項４記載の中空柱の補強構造にあっては、金属製リング部材がアルミニウムまたはステンレススチールまたは鉄で形成され、アラミドシートは、一重乃至二重に巻回されているため、補強用棒状部材を一層堅固かつ強固に補強でき、中空柱の信頼性を向上することができる。
【００２３】
請求項５記載の中空柱の補強構造は、補強用リングが、周方向に等角度で均等に分割した内周面に取り付けられた細長い管状体を有し、均等配置治具は、この管状体に挿通された連結紐で補強用リングに固定的に取り付けられることを要旨とする。
【００２４】
請求項５記載の中空柱の補強構造にあっては、補強用リングは周方向に等角度で均等に分割した内周面に取り付けられた細長い管状体を有し、均等配置治具は、この管状体に挿通された連結紐で補強用リングに固定的に取り付けられる。
【００２７】
請求項６記載の中空柱の補強構造は、前記棒状部材補強保持具は、均等配置治具の保持部に挿通される補強用棒状部材に所定の間隔で取り付けられた保持バンドにより補強用棒状部材に所定の間隔で複数保持されて配設されていることを要旨とする。
【００２８】
請求項６記載の中空柱の補強構造にあっては、棒状部材補強保持具は、保持バンドにより補強用棒状部材に所定の間隔で複数保持されて配設されるため、棒状部材補強保持具を比較的簡単に保持することができる。
【００２９】
請求項７記載の中空柱の補強構造は、前記複数の棒状部材補強保持具が、所定の位置に固定された一番上の棒状部材補強保持具に取り付けられたループ状のワイヤで当該棒状部材補強保持具の直下に位置する棒状部材補強保持具を吊り下げ、この直下に位置する棒状部材補強保持具に取り付けられた別のループ状のワイヤで当該棒状部材補強保持具の直下に位置する棒状部材補強保持具を吊り下げるという処理を繰り返すことで所定の間隔で配設されることを要旨とする。
【００３０】
請求項７記載の中空柱の補強構造にあっては、複数の棒状部材補強保持具はワイヤで順次吊り下げるように保持されるため、棒状部材補強保持具を確実に保持することができる。
【発明の効果】
【００３３】
本発明によれば、中空柱を補強する複数の補強用棒状部材を均等配置治具で中空柱の周方向に等角度で均等に配設するとともに、この均等配置治具の外周を補強用リングで囲んで補強するので、複数の保持部の外側部分が補強用リングの内周面に接触し、複数の補強用棒状部材を一層堅固かつ強固に補強でき、中空柱の信頼性を向上することができる。
【００３４】
また、本発明によれば、複数の保持部の外側部分が補強用リングの内周面の円弧と同じ形状の円弧で削られ、補強用リングと緊密に接触するので、複数の保持部は補強用リングにより確実に保持され、保持部で保持される補強用棒状部材を一層堅固かつ強固に補強でき、中空柱の信頼性を向上することができる。
【００３５】
更に、本発明によれば、金属を一重乃至二重に重ねて形成された金属製リング部材の外周面にアラミドシートを巻回して、補強用リングを構成しているので、補強用リングは強靭なものとなり、補強用棒状部材を保持している均等配置治具の外周を強靭な補強用リングで囲んで補強することにより、補強用棒状部材を一層堅固かつ強固に補強でき、中空柱の信頼性を向上することができる。
【図面の簡単な説明】
【００３７】
【図１】本発明の一実施形態に係わる中空柱の補強構造に使用される棒状部材補強保持具を示す斜視図である。
【図２】図１に示す棒状部材補強保持具の平面図である。
【図３】図１に示す棒状部材補強保持具を構成する補強用リングを示す斜視図である。
【図４】図３に示す補強用リングの平面図である。
【図５】図１に示す棒状部材補強保持具を構成するロッド配置用スペーサの構成を示す上側から見た斜視図である。
【図６】図４に示すロッド配置用スペーサの構成を示す下側から見た斜視図である。
【図７】図１に示した棒状部材補強保持具にガイド棒、アラミドロッドおよびＰＣ鋼線を挿通した状態を示す斜視図である。
【図８】図１に示した本実施形態の棒状部材補強保持具を使用して補強された中空柱の内部構造を示す図である。
【図９】図１に示した棒状部材補強保持具を保持バンドでＰＣ鋼線に保持する状態を示す斜視図である。
【図１０】図１に示した棒状部材補強保持具をワイヤで吊るして保持する状態を示す斜視図である。
【図１１】本発明の他の実施形態に係わる中空柱の補強構造に使用される棒状部材補強保持具を示す斜視図である。
【図１２】図１１に示す棒状部材補強保持具に使用されているロッド配置用スペーサを示す斜視図である。
【図１３】図１１に示す棒状部材補強保持具にアラミドロッドを挿通した状態を示す斜視図である。
【発明を実施するための形態】
【００３８】
以下、図面を用いて、本発明を実施するための形態(以下、実施形態と称する)を説明する。
【００３９】
図１は、本発明の一実施形態に係わる中空柱の補強構造に使用される棒状部材補強保持具を示す斜視図であり、図２は、図１に示す棒状部材補強保持具の平面図である。
【００４０】
図１および図２に示す棒状部材補強保持具７は、例えば鋼管柱やコンクリート製電柱などの中空柱を補強する複数の補強用棒状部材を保持して補強するために使用されるものであり、補強のために中空柱の長手方向に沿って中空柱内に挿入された複数の補強用棒状部材を中空柱の周方向に等角度で均等に配置するための均等配置治具であるロッド配置用スペーサ７１と、このロッド配置用スペーサ７１の外周を囲んで補強している補強用リング７３とから構成される。
【００４１】
補強用リング７３は、周方向に等角度で均等に三分割した内周面に３個の細い管状体であるスリーブ７３ｃが取り付けられている。そして、このスリーブ７３ｃのそれぞれに連結紐７５を通し、この連結紐７５をロッド配置用スペーサ７１の一部（図５および図６で後述するリンク７１ｄ）に結び付けることにより、補強用リング７３にロッド配置用スペーサ７１を固定的に取り付けている。なお、連結紐７５は、布や革で構成される紐に限定されず、金属からなる針金などのワイヤでもよいものである。
【００４２】
補強用リング７３は、ロッド配置用スペーサ７１の外周を囲んで補強すべく、図３および図４に斜視図および平面図で示すように、アルミニウムまたはステンレススチールまたは鉄などの金属で環状に形成された金属製リング部材７３ａと、この金属製リング部材７３ａの外周面に巻回されたアラミドシート７３ｂとから構成されている。上述したスリーブ７３ｃは、金属製リング部材７３ａの内周面に取り付けられている。
【００４３】
なお、金属製リング部材７３ａは、上述した金属のプレートを一重乃至二重に重ねて構成され、またアラミドシート７３ｂも金属製リング部材７３ａの外周面に一重乃至二重に巻回されて構成され、このように多重に重ねて巻くことにより一層強固に補強を行うようになっている。金属製リング部材７３ａが一重の場合には、その両端部は互いに突き当てる場合と重ねる場合があるが、重ねる場合は、アラミドシート７３ｂは、上側に重なった端部に続いて巻回される。
【００４４】
ロッド配置用スペーサ７１は、図５および図６に上側および下側から見た斜視図で示すように、中心部に後述するガイド棒が挿通される中心孔７１ａが形成され、この中心孔７１ａから四方に放射状に等角度で均等に延出する複数の連結部７１ｂの先端には、補強用棒状部材であるアラミドロッドが挿通されて保持されるリング状のアラミドロッド保持部７１ｃが複数（本実施形態では６個）形成されている。また、この複数のアラミドロッド保持部７１ｃは、隣接するもの同士がリンク７１ｄで環状に連結され、このリンク７１ｄの中間には別の補強用棒状部材であるＰＣ鋼線が挿通されて保持されるリング状の小径のＰＣ鋼線保持部７１ｅが複数（本実施形態では６個）形成されている。
【００４５】
なお、上述したように構成されるロッド配置用スペーサ７１の複数のアラミドロッド保持部７１ｃおよびＰＣ鋼線保持部７１ｅは、補強用リング７３の周方向において、ひいては後述するように中空柱の周方向において等角度で均等に配置されるとともに、複数のアラミドロッド保持部７１ｃとＰＣ鋼線保持部７１ｅは、中空柱の周方向に交互に配設されている。また、ＰＣ鋼線は、通常、プレストレストコンクリート構造物の緊張材として用いる鋼線である。
【００４６】
更に、複数のアラミドロッド保持部７１ｃおよびＰＣ鋼線保持部７１ｅの各々は、図５および図６から分かるように、補強用リング７３に接触するアラミドロッド保持部７１ｃおよびＰＣ鋼線保持部７１ｅの外側部分が補強用リング７３の内周面と緊密に接触するように補強用リング７３の内周面の円弧と同じ形状の円弧で削られ、補強用リング７３との接触面７１ｆ、７１ｇを構成している。接触面７１ｆは、アラミドロッド保持部７１ｃの外側部分に形成され、接触面７１ｇは、ＰＣ鋼線保持部７１ｅの外側部分に形成されている。
【００４７】
図７は、上述したガイド棒およびアラミドロッドやＰＣ鋼線などの補強用棒状部材がロッド配置用スペーサ７１の中心孔７１ａおよびアラミドロッド保持部７１ｃやＰＣ鋼線保持部７１ｅにそれぞれ挿通された状態を説明的に想像線で示す斜視図である。すなわち、同図に示すように、棒状部材補強保持具７を構成するロッド配置用スペーサ７１の中心孔７１ａには、ガイド棒１３が挿通され、ロッド配置用スペーサ７１のアラミドロッド保持部７１ｃのそれぞれには、補強用棒状部材であるアラミドロッド３が挿通され、ＰＣ鋼線保持部７１ｅのそれぞれには、補強用棒状部材であるＰＣ鋼線５が挿通されている。
【００４８】
なお、ガイド棒１３が挿通されるロッド配置用スペーサ７１の中心孔７１ａは、図５に示すように、その上側が突出して構成されるのに対して、当該中心孔７１ａの下側は、図６に示すように、中心孔７１ａの内周面の縁部が斜めに削られ凹んで構成され、これによりガイド棒１３が挿通し易いようになっている。
【００４９】
図８は、図１に示した本実施形態の棒状部材補強保持具７を使用して補強された中空柱の内部構造を示す図である。
【００５０】
図８においては、中空柱１を補強するために中空柱１内に挿入された複数の補強用棒状部材であるアラミドロッド３およびＰＣ鋼線５は、図７で示したように、それぞれ複数の棒状部材補強保持具７のアラミドロッド保持部７１ｃおよびＰＣ鋼線保持部７１ｅ内に挿通されるとともに、この挿通された状態で複数の棒状部材補強保持具７は、中空柱１の長手方向に所定の間隔あけて配設され、この位置で各棒状部材補強保持具７は各補強用棒状部材を保持しながら固定される。
【００５１】
なお、図８では、中空柱１の地際を補強するように複数の補強用棒状部材および棒状部材補強保持具７が地際を中心に配設されている。
【００５２】
複数の補強用棒状部材であるアラミドロッド３およびＰＣ鋼線５は、中空柱１の地際から例えば１メートル程度上方の側面に形成された縦長の側部開口１ａから１本ずつ中空柱１内に挿入されるが、このように中空柱１内に挿入された複数の補強用棒状部材を棒状部材補強保持具７で保持するように各補強用棒状部材をロッド配置用スペーサ７１のアラミドロッド保持部７１ｃおよびＰＣ鋼線保持部７１ｅ内に挿通させるには、複数の補強用棒状部材をすべて側部開口１ａから中空柱１内に挿入した後、この挿入された複数の補強用棒状部材の下端部または上端部が側部開口１ａの真横に位置するまで上方または下方に移動する。
【００５３】
各補強用棒状部材の下端部または上端部が側部開口１ａの真横に位置した状態において、複数の棒状部材補強保持具７を側部開口１ａから中空柱１内に挿入する。それから、この中空柱１内に挿入された複数の棒状部材補強保持具７のアラミドロッド保持部７１ｃおよびＰＣ鋼線保持部７１ｅの中に複数の補強用棒状部材の下端部または上端部を挿通する。
【００５４】
次に、複数の補強用棒状部材を挿通された複数の棒状部材補強保持具７のうち一番下または一番上の棒状部材補強保持具７を補強用棒状部材のうちのＰＣ鋼線５に保持するように図９に示すように例えばビニールバンドなどからなる保持バンド２３を棒状部材補強保持具７の直下でＰＣ鋼線５に結び付けるように取り付け、これにより棒状部材補強保持具７が降下しないように固定する。
【００５５】
なお、この保持バンド２３による棒状部材補強保持具７の保持は、この棒状部材補強保持具７のＰＣ鋼線保持部７１ｅを挿通しているＰＣ鋼線５に保持バンド２３を図９に示すように結び付けることにより、棒状部材補強保持具７は、このＰＣ鋼線５に結び付けられた保持バンド２３に引っ掛かって保持され、下方に降下しないようになっているものである。この保持バンド２３は、図９に示すように、複数のＰＣ鋼線５のうちの１本に結び付けることで棒状部材補強保持具７を確実に保持し、棒状部材補強保持具７の降下を防止し得るものであるが、１本に限定されるものでなく、２本以上のＰＣ鋼線５に結ぶ付けたり、すべてのＰＣ鋼線５に保持バンド２３を結び付けてもよいものである。
【００５６】
このように棒状部材補強保持具７をＰＣ鋼線５に取り付けられた保持バンド２３で下降しないように保持した状態で当該一番下または一番上の棒状部材補強保持具７を除く他の棒状部材補強保持具７を側部開口１ａの真横で補助冶具や手などで保持しながら複数の補強用棒状部材を一番下または一番上の棒状部材補強保持具７とともに所定距離、すなわち上述した所定の間隔に相当する距離だけ下方または上方に移動する。
【００５７】
このように一番下または一番上の棒状部材補強保持具７とともに複数の補強用棒状部材が所定距離下方または上方に移動したら、次に上述した他の棒状部材補強保持具７のうち一番下または一番上の棒状部材補強保持具７を同様にＰＣ鋼線５に保持するように保持バンド２３をＰＣ鋼線５に結び付け、これにより棒状部材補強保持具７が下降しないように固定する。このように棒状部材補強保持具７をＰＣ鋼線５に取り付けられた保持バンド２３で下降しないように保持した状態で当該一番下または一番上の棒状部材補強保持具７を除く残りの他の棒状部材補強保持具７を側部開口１ａの真横に保持しながら複数の補強用棒状部材を一番下または一番上とその１つ上または下の棒状部材補強保持具７とともに所定距離下方に移動するという作業を複数の棒状部材補強保持具７の数だけ繰り返し行うことにより、複数の棒状部材補強保持具７は、図８に示すように、複数の補強用棒状部材を所定の間隔あけて保持しながら配設され、これにより複数の補強用棒状部材による中空柱１に対する補強が更に強固となるように構成している。
【００５８】
すなわち、図８に示すように、中空柱１内に挿入されたアラミドロッド３およびＰＣ鋼線５からなる複数の補強用棒状部材は、本実施形態の棒状部材補強保持具７に挿通され、中空柱１の周方向において等角度で均等に配設されるとともに、棒状部材補強保持具７の補強用リング７３により棒状部材補強保持具７のロッド配置用スペーサ７１を外側から堅固に保持して補強することにより、複数の補強用棒状部材は一体化され、強度を著しく向上することができる。
【００５９】
また、複数の棒状部材補強保持具７のロッド配置用スペーサ７１の中心孔７１ａには、ガイド棒１３が挿通されるが、このガイド棒１３は、その下端部に取り付けられたガイド棒固定用冶具１５により下端部を中空柱１の中心軸に固定的に設定されるようになっているとともに、また中空柱１の側部開口１ａの近傍に位置するガイド棒１３の上方に取り付けられた別のガイド棒固定用冶具１９によりガイド棒１３の上方は中空柱１の中心軸に固定的に設定されるようになっている。
【００６０】
このように中空柱１の中心軸に固定的に設定されたガイド棒１３がロッド配置用スペーサ７１の中心孔７１ａに挿通されることにより、棒状部材補強保持具７は中空柱１の中心軸を中心に取り付けられ、ロッド配置用スペーサ７１のアラミドロッド保持部７１ｃおよびＰＣ鋼線保持部７１ｅは、複数の補強用棒状部材を中空柱１の周方向に等角度で均等に配設することができる。
【００６１】
なお、図８において、ガイド棒１３の下方であって、ガイド棒固定用冶具１５の上方に位置するガイド棒１３には、ストッパー１７が取り付けられているが、このストッパー１７は、上述した複数の棒状部材補強保持具７のうちの一番下の棒状部材補強保持具７をこの位置に固定し、この位置に複数の棒状部材補強保持具７で保持された複数の補強用棒状部材を固定するためのものである。
【００６２】
また、図８において、上述したように、中空柱１の長手方向に所定間隔あけて配設され、複数の補強用棒状部材を保持している複数の棒状部材補強保持具７の間には、この間の複数の補強用棒状部材を更に一体的に強固に固定すべく複数の補強用棒状部材の周囲を取り囲んで結束するように結束バンドであるビニールバンド９が複数の補強用棒状部材を締め付けるように配設され、これにより複数の補強用棒状部材を更に強固に補強するようになっている。このビニールバンド９は適宜、本数が１乃至５本程度の間で設けられる。
【００６３】
図８においては、複数の補強用棒状部材を棒状部材補強保持具７で強固に保持するとともに各棒状部材補強保持具７を図９に示す保持バンド２３でＰＣ鋼線５に所定間隔で固定して棒状部材補強保持具７の下限位置を固定している。
【００６４】
その後、これらの補強組立体、すなわち複数の補強用棒状部材、棒状部材補強保持具７などからなる補強組立体の間にモルタル２１を投入して更に強固に構成された中空柱１に対して、その下部の二箇所にアラミドシート４１、４３（図中、２点鎖線で示す）を巻回して、中空柱１の下部を更に強固に補強する。
【００６５】
アラミドシート４１、４３のうち、上方に位置する第１のアラミドシート４１は、側部開口１ａも閉塞するように側部開口１ａを中心とした中空柱１の周囲に巻回され、この部分を更に強固に補強している。また、下方に位置する第２のアラミドシート４３は、地際に最も近い最下端部の中空柱１の周囲に巻回され、この部分を更に強固に補強している。
【００６６】
上記実施形態では、棒状部材補強保持具７を構成するロッド配置用スペーサ７１は、補強用リング７３に接触するアラミドロッド保持部７１cおよびＰＣ鋼線保持部７１ｅの外側部分が補強用リング７３の内周面の円弧と同じ形状の円弧で削られ、接触面７１ｆ、７１ｇを構成しているが、本発明は、このように補強用リング７３に接触するアラミドロッド保持部７１cおよびＰＣ鋼線保持部７１ｅの外側部分を削られなくても同様の機能を果たすことができるものであり、要は補強用リング７３がロッド配置用スペーサ７１を外側から確実かつ堅固に保持し、補強用棒状部材の強度を向上することができればよいものである。
【００６７】
図１０は、図９で説明したように複数の棒状部材補強保持具７を所定間隔で保持するための別の方法を説明する図である。図１０に示す方法では、図９に示した保持バンド２３の代わりに、ステンレススチールや鉄などの金属などから構成されるワイヤ２５を用い、このワイヤ２５で複数の棒状部材補強保持具７を所定の間隔で順次吊るしながら保持するものである。
【００６８】
なお、この場合、一番上の棒状部材補強保持具７は、例えばガイド棒１３などの所定の位置に固定され、この固定された一番上の棒状部材補強保持具７の補強用リング７３にワイヤ２５を引っ掛けてループ状にし、このループ状にしたワイヤ２５で次の、すなわち一番上の棒状部材補強保持具７のすぐ下にある次の棒状部材補強保持具７の補強用リング７３を保持するようにくぐらせてからワイヤ２５の両端を連結してループ状にして固定することで保持される。
【００６９】
すなわち、ワイヤ２５は、前記所定の間隔となるようにループ状に形成され、このループ状のワイヤ２５で下側の棒状部材補強保持具７を上側の棒状部材補強保持具７で吊るして保持している。そして、このようなループ状のワイヤ２５で上側の棒状部材補強保持具７が下側の棒状部材補強保持具７を吊るすということを棒状部材補強保持具７の数だけ繰り返すことにより複数の棒状部材補強保持具７を保持することができる。
【００７０】
なお、ワイヤ２５の両端を連結してループ状にする方法は、ワイヤ２５の両端を金属製のスリーブに挿入してから、スリーブを押し潰してかしめるなどにより行うことができる。
【００７１】
図１１は、本発明の他の実施形態に係わる中空柱の補強構造に使用される棒状部材補強保持具を示す斜視図である。同図に示す棒状部材補強保持具８は、図１と同じ構成の補強用リング７３と、この補強用リング７３で外周を囲まれて補強されたロッド配置用スペーサ８１とから構成されるが、このロッド配置用スペーサ８１は、図１に示したロッド配置用スペーサ７１と異なって、ＰＣ鋼線保持部７１ｅが設けられていないものである。なお、その他の構成は同じであり、同じ構成要素には同じ符号が付されている。
【００７２】
図１１に示す棒状部材補強保持具８に使用されているロッド配置用スペーサ８１は、図１２に示すように、アラミドロッド３が挿通されるアラミドロッド保持部７１cのみを有し、図１のようなＰＣ鋼線保持部７１ｅは設けられていない。従って、中空柱１の補強は、アラミドロッド３のみで行われるが、アラミドロッド３のみでも用途によっては十分なものである。なお、図１３は、図１１に示した棒状部材補強保持具８にアラミドロッド３を挿通した状態を示しているものである。
【符号の説明】
【００７３】
１  中空柱
１ａ  側部開口
３  アラミドロッド
５  ＰＣ鋼線
７、８  棒状部材補強保持具
９  ビニールバンド
１３  ガイド棒
１５、１９  ガイド棒固定用治具
１７  ストッパー
２３  保持バンド
２５  ワイヤ
４１、４３  アラミドシート
７１、８１  ロッド配置用スペーサ
７１ａ  中心孔
７１ｃ  アラミドロッド保持部
７１ｅ  ＰＣ鋼線保持部
７１ｆ、７１ｇ  接触面
７３ａ  金属製リング部材
７３ｂ  アラミドシート
７３ｃ  スリーブ
７５  連結紐
【図１】
0005412371.tif 000002
【図２】
0005412371.tif 000003
【図３】
0005412371.tif 000004
【図４】
0005412371.tif 000005
【図５】
0005412371.tif 000006
【図６】
0005412371.tif 000007
【図７】
0005412371.tif 000008
【図８】
0005412371.tif 000009
【図９】
0005412371.tif 000010
【図１０】
0005412371.tif 000011
【図１１】
0005412371.tif 000012
【図１２】
0005412371.tif 000013
【図１３】
0005412371.tif 000014